(57)【要約】  容器（２）に取り付ける容器栓（１）が開示される。容器（２）は、その内部から液体を排出するために、穴明き容器開口（８）と流体連通する容器本体（４）を備えるタイプである。栓（１）は、一方の端部に栓出口（１０）を有し、他方の端部に栓入口（１２）を有する穴明き栓本体（８）を備える。栓本体（８）には、容器開口（６）の内壁に係合する複数の外面リブ（１４）が取り付けられている。栓（１）は、飲んでいる間、空気が容器（２）に流入することができるようにし、それにより、容器内に真空が形成されるのを防止することに加えて、液体または他の汚染物質が容器（２）に入り込むのを防止するので、特に有利である。【選択図】図２
2009525923.tif 000002
【特許請求の範囲】
【請求項１】
容器（２）内部から液体を排出するために、穴明き容器開口（６）と流体連通する容器本体（４）を備えるタイプの容器（２）に取り付ける容器栓（１）において、前記栓（１）は、一方の端部に栓出口（１０）を有し、他方の端部に栓入口（１２）を有する穴明き栓本体（８）を備え、前記栓本体（８）には、前記容器開口（６）の内壁に係合する複数の外面リブ（１４）が取り付けられている容器栓（１）であって、前記栓（１）は、前記栓本体（８）の内壁間に延在する栓弁（１８）を備え、前記栓弁（１８）は、栓ストッパ（２２）に衝接して前記容器（２）を封止する閉位置と、液体が前記栓出口（１０）を通って前記容器（２）から流出することができる開位置との間で枢動する複数の栓フラップ（２０）から形成され、前記栓（１）は、一方の端部（４２）に通気管空気入口（４０）を有し、他方の端部（４６）に通気管空気出口（４４）を有する容器通気管（３８）をさらに備え、前記通気管（３５）は、液体が前記栓（１）を通って前記容器（２）から流出するとき、空気が、栓（１）から流出する液体によって妨害されることなく、前記通気管空気入口（４０）に入り、前記通気管（３８）を通り、前記通気管空気出口（４４）から出て、前記容器（２）の内部に流入することを可能にするために、液体を、前記通気管空気入口（４０）から離して導くように配置されていることを特徴とする容器栓（１）。
【請求項２】
前記栓（１）が、前記容器（２）に取り付けられ、それ自体と前記容器（２）との間に不正開封防止シールを備える、請求項１に記載の容器栓（１）。
【請求項３】
前記栓本体（８）が、前記容器開口（６）に挿入するためにプラグ状である、請求項１または２に記載の容器栓（１）。
【請求項４】
前記栓フラップ（２０）が、複数の切込み（２６）が切り取られた円盤形状薄膜（２４）によって形成されている、請求項１から３までのいずれかに記載の容器栓（１）。
【請求項５】
前記栓ストッパ（２２）が、複数の三角楔形部分（３０）が切り取られた実質的に剛な円盤形状部材（２８）から形成されている、請求項１から４までのいずれかに記載の容器栓（１）。
【請求項６】
前記可撓性円盤形薄膜（２４）によって形成された前記栓フラップ（２０）と前記栓ストッパ（２０）が相俟って、前記容器栓（１）内に一方向バルブを形成する、請求項４または５に記載の容器栓（１）。
【請求項７】
前記通気管（３８）が、栓入口（１２）の下側から、栓つば（５０）下側の前記栓本体（８）の内壁を貫いて栓本体（８）中を実質的に垂直に、前記通気管空気入口（４０）まで延在する下向き延在部分を有する、請求項１から６までのいずれかに記載の容器栓（１）。
【請求項８】
通気管空気バルブ（４８）が、前記通気管（３８）の端部（４６）に取り付けられている、請求項１から７までのいずれかに記載の容器栓（１）。
【請求項９】
前記通気管空気バルブ（４８）が、ボールベアリング（５２）によって形成されたバルブ閉止デバイスと、バルブ閉止デバイス保持覆い（５４）とを備える、請求項８に記載の容器栓（１）。
【発明の詳細な説明】
【技術分野】
【０００１】
本発明は、容器栓に関し、詳細には、容器内部から液体を排出するために、穴明き容器開口と流体連通する容器本体を備えるタイプの容器に取り付ける容器栓に関し、栓は、一方の端部に栓出口を有し、他方の端部に栓入口を有する穴明き栓本体を備え、栓本体には、容器開口の内壁に係合する複数の外面リブが取り付けられている。
【背景技術】
【０００２】
多くの人々、特に若い世代は、最初に容器または瓶の中身をコップに注ぐのではなくて、瓶または容器から飲み物を飲む。これが、極めて一般的なやり方になってきており、特に、バーやラウンジなど、飲み物が大衆に売られる施設の場合や、まさに特に、客が着席しない屋外や広い場所で飲むために売られる場合に、広く行われている。したがって、特に催場では、多くの人が容器から直接飲むのを見るのは普通のことである。
【０００３】
時々生じる特殊な問題は、飲み物の「異物添加」の問題である。この問題は、人々が、自分たちの飲み物に、望んでいない物質をその中に混入されて異物添加されてしまう様々な生じ方をしている。確かに、最近「デートレイプドラッグ」と呼ばれるものがかなり広まっており、その場合は、ある人物の飲み物にある種の物質が混入され、その物質がその人物、特に若い女性を無防備にし、比較的短い時間、たとえば２４時間中に起こったことの覚えをなくさせる。その２４時間中に、その人物はレイプされ、さもなければ暴行を受ける可能性がある。
【０００４】
そのようなデートレイプに遭わなかったとしても、人々は、それがその人物に危害を及ぼそうとする意図的な試みによるものであろうと、または単に、そうすることが面白そうとの考えによるものであろうと、自分の飲み物に異物が混入されるのを望まないという他の問題がある。
【０００５】
瓶または他の容器から直接飲むことに伴う別の問題は、ワイル病である。これは、鼠の尿および／または糞に運ばれる死に至る可能性のある病原菌であり、瓶の頭部に付着すると（地価倉庫に貯蔵されているときなどに）、瓶から中身を直接飲んだときに人間に伝染し得る。
【発明の開示】
【発明が解決しようとする課題】
【０００６】
したがって、本発明の１つの目的は、少なくとも上記の問題を克服することに幾分でも近付き、かつ／または、民間および／または産業界に有益な選択をもたらす容器栓を提供することである。
【０００７】
用語「備える」は、法域が変わると、排他的または包括的いずれの意味も持ち得ることが知られている。この明細書の論点に関し、別途明言しない限り、用語「ｃｏｍｐｒｉｓｅ（備える）」は包括的意味を有するものであり、すなわち、それは、それが直接言及する列挙された構成要素のみではなく、他の指定されていない構成要素も含むことを意味するものとすることができる。したがって、用語「ｃｏｍｐｒｉｓｅ」は、いかなる所与の法域内でも、可能な限り広い解釈がなされるべきものであり、この原則は、用語「ｃｏｍｐｒｉｓｅｄ」および／または「ｃｏｍｐｒｉｓｉｎｇ」が用いられたときにも適用される。
【０００８】
本発明の別の態様が、単に例として記載された以下の説明から明らかになる。
【課題を解決するための手段】
【０００９】
本発明によれば、容器内部から液体を排出するために、穴明き容器開口と流体連通する容器本体を備えるタイプの容器に取り付ける容器栓において、栓が、一方の端部に栓出口を有し、他方の端部に栓入口を有する穴明き栓本体を備え、栓本体には、容器開口の内壁に係合する複数の外面リブが取り付けられている容器栓であって、栓が、栓本体の内壁間に延在する栓弁を備え、栓弁は、栓ストッパに衝接して容器を封止する閉位置と、液体が栓出口を通って容器から流出することができる開位置との間で枢動する複数の栓フラップから形成され、栓は、一方の端部に通気管空気入口を有し、他方の端部に通気管空気出口を有する容器通気管をさらに備え、通気管は、液体が栓を通って容器から流出するとき、空気が、栓から流出する液体によって妨害されることなく、通気管空気入口に入り、通気管を通り、通気管空気出口から出て、容器の内部に流入することを可能にするために、液体を、通気管空気入口から離して導くように配置されていることを特徴とする容器栓が提供される。
【００１０】
そのような栓は、液体または他の汚染物質が容器に入り込むのを防止するので特に有利である。さらに、通気管を設けることにより空気が容器内に流入することができるようになり、それにより、容器内に真空が形成されるのを防止し、容器から飲んでいる人が、より長時間、中断する必要なく容器から飲むことができるようになる。
【００１１】
栓はまた、飲料が出てくる瓶と容器から飲んでいる人の口との間に防壁を形成し、それにより、汚染物質やワイル病などの細菌が瓶の頭部から飲んでいる人に移る可能性を取り除く。瓶との間のそのような防壁は、液体が誤って瓶からこぼれるのを防止する漏れ防止機能も果たす。栓はまた、容器がガラス瓶である場合に、飲む人の歯を誤って欠いてしまうのを最低限に抑える。
【００１２】
本発明の一実施形態では、栓が、容器に取り付けられ、それ自体と容器との間に不正開封防止シールを備える。
【００１３】
不正開封防止シールを備えることにより、栓が不正開封されたり他の悪戯をされたりしたとき、飲み手に警告する手段も提供される。
【００１４】
本発明の一実施形態では、栓本体は、容器開口に挿入するためにプラグ状である。
【００１５】
本発明の一実施形態では、栓フラップは、複数の切込みが切り取られた円盤形状薄膜によって形成されている。
【００１６】
本発明の一実施形態では、栓ストッパは、複数の実質的に三角楔形をした部分が切り取られた実質的に剛な円盤形状部材から形成されている。すなわち、栓ストッパは、円盤形状部材の中央に向かって複数の実質的に剛な半径方向帯板がそこから延在する外周縁によって形成されている。
【００１７】
本発明の一実施形態では、可撓性円盤形薄膜によって形成される栓フラップと栓ストッパが相俟って、容器栓内に一方向バルブを形成する。
【００１８】
本発明の一実施形態では、通気管は、栓入口の下側から、栓つば直下の栓本体の内壁を貫いて栓本体中を実質的に垂直に、通気管空気入口まで延在する下向き延在部分を有する。
【００１９】
本発明の一実施形態では、通気管空気バルブが、通気管の端部に取り付けられている。
【００２０】
本発明の一実施形態では、通気管空気バルブが、ボールベアリングによって形成されたバルブ閉止デバイスと、バルブ閉止デバイス保持覆いとを備える。
【００２１】
本発明は、単なる例として記載されたそのいくつかの実施形態についての以下の説明から、添付図面を参照して、より明瞭に理解されよう。
【発明を実施するための最良の形態】
【００２２】
先ず、図１〜４を参照すると、容器２の内部から液体を排出するために、穴明き容器開口６と流体連通する、全体的に参照番号４によって示された容器本体を備えるタイプの容器２に取り付ける、全体的に参照番号１によって示された容器栓が示されている。次に、図２を詳細に参照すると、栓１は、一方の端部に栓出口１０および他方の端部に栓入口１２を有する、全体的に参照番号８によって示される穴明き栓本体を備え、栓本体８には、容器開口６の内壁に係合する複数の外面リブ１４が取り付けられている。理想的には、本体８は、弾力性または伸縮性のあるゴムまたは他の材料から形成される。液体が消費すなわち容器２から放出されるとき、液体は、矢印１６によって全体的に示される方向に、容器入口１２から穴明き栓本体８を通って、容器出口１０から流出することを理解されたい。栓本体８は、容器開口６に挿入するためにプラグ状であることもさらに理解されたい。
【００２３】
栓１は、栓本体８の内壁間に延在し、栓ストッパ２２に衝接して容器２を封止する閉位置と、液体が栓出口１０を通って容器２から流出することができる開位置との間で枢動する複数の栓フラップ２０から形成され、全体的に参照番号１８によって示される栓弁をさらに備える。詳細には、開位置にあるとき、フラップ２０は矢印１６の方向に外側に枢動する。同時に、液体または他の好ましくない物質が、容器の外側から栓フラップ２０に向かって注がれると、栓フラップ２０が栓ストッパ２２に衝接するように動いて、液体または好ましくない物質がフラップ２０を越えて容器に流入するのを防止する。
【００２４】
図示の例において、次に、既に記載されたものと同様な部品は同じ参照番号によって識別されている図５を簡単に参照すると、栓フラップ２０は、複数の切込み２６が切り取られた可撓性円盤形状薄膜２４によって形成され、その切込みは薄膜２４の中央近傍からその外縁まで延在する。さらに、やはり既に記載されたものと同様な部品は同じ参照番号によって識別されている図６および７に示されるように、栓ストッパ２２は、実質的に剛な円盤形状部材２８から形成され、その円盤形状部材２８から複数の三角楔形部分３０が切り取られ、それによって、円盤形状部材２８の中央に向かって延出しそこで合流する複数の実質的に剛な半径方向アーム３２を有する外周縁３４が形成されている。栓フラップ２０は栓ストッパ２２と相俟って、容器栓１内に一方向バルブを形成することを理解されたい。ただし、一方向バルブは、液体を容器から流出させることはできるが、容器に液体が入り込むことは阻止する、たとえばダイアフラムバルブなどの適切な他のバルブ機構でもよいことを理解されたい。
【００２５】
次に、図３を参照すると、やはり同じ参照番号１によって識別された栓の分解図が示され、既に記載されたものと同様な部品は同じ参照番号によって識別されている。図示の通り、栓出口１０は、栓ストッパ２２がその上に取り付けられる栓出口隆起部３６を備える。図示のように、栓ストッパ２２は、栓１内の所定位置では、栓本体８の内壁間に、栓出口１０を横切って延在する。次いで、可撓性円盤形薄膜２４が、栓ストッパ２２の上向き面２３を覆って配置され、その結果、栓フラップ２０が栓ストッパ２２上に延在する。次いで、中空栓出口スリーブ２５（図１０も参照）が、栓出口１０の周りに固定され、栓つば５０上に着座して、薄膜２４および栓ストッパ２２を栓出口１０上の所定位置に固定する。次いで、栓封止キャップ２７（図１１参照）が、任意選択的に栓出口スリーブ２５上に配置されて、栓１および容器２を完全に封止する。
【００２６】
また、一方の端部４２に通気管空気入口４０を有し、他方の端部４６に通気管空気出口４４を有する中空容器通気管３８が示されている。図示された例では、通気管３８は、栓入口１２の下側から、栓つば５０直下の前記栓本体８の内壁を貫いて栓本体８中を実質的に垂直に、前記通気管空気入口４０まで延在する下向き延在部分を有する。全体的に参照番号４８によって示される通気管空気バルブが、通気管３８の端部４６に固定されている。通気管空気バルブ４８は、図示の例ではボールベアリング５２によって形成されているバルブ閉止デバイス、および複数の通気孔５６（図８および９参照）を有するバルブ閉止デバイス保持覆い５４を備える。
【００２７】
栓１内での通気管３８の配置は、液体が栓１を通って容器２から流出するとき、空気が、栓１から流出する液体によって妨害されることなく、通気管空気入口４０に入り、通気管３８を通り、通気管空気出口４４を出て、容器２の内部に流入することを可能にするために、液体を、通気管空気入口４０から離して導くようになっている。したがって、容器２が逆さにされ、中身が飲まれるとき、空気が、空気入口４０に流入し、通気管３８を通って、ボールベアリング５２を空気出口４４から押し離す。容器２が、飲み手の口から離されると、ボールベアリング５２が、通気管３８の空気出口４４に着座して、液体が通気管３８を通って上がって行くのを防止する。中空空気ガイドまたはディフューザ５８（図１２参照）を通気管出口４４に取り付けて、通気管３８を通る空気流量をさらに増加させ、液体が通気管３８を図らずも遡上する可能性を最小限に抑えることもできる。この種のディフューザ５８は、通気管出口４４に取り付けられたとき、ボールベアリング５２を保持して完全な一方向バルブとし、通気管３８に掛かる液体の圧力を逸らして容器内の液体を通り抜ける気泡を制御する。ディフューザ５８はまた、炭酸飲料の過剰なガス発生を防止する。図１３に示されたストロー６０などの、追加の中空パイプを、任意選択的に通気管３８の端部に固定して、空気を容器１の端部まで到達させることによって、容器内の炭酸飲料について液体からの過剰なガス発生を防止させることもできる。
【００２８】
栓１それ自体は、図１４に示されるガラス容器６２のような入れ物に収蔵することができる。
【００２９】
栓１は、それ自体と容器２の間に不正開封防止シールを備えることもできる。
【００３０】
本発明による液体ディスペンサは、栓の一部分として恒久的に取り付けられていてもよく、あるいは、飲み物を販売する直前に新しく取り付けられてもよいことは理解されよう。本体２には、広告などの適切な表示を施すことができることも理解されよう。
【００３１】
この発明は、上記の実施形態に限定されることなく、構造および詳細共に特許請求の範囲内で変化させることができる。
【図面の簡単な説明】
【００３２】
【図１】本発明による容器栓の側方透視図である。
【図２】図１に示された容器栓の側方切欠透視図である。
【図３】図２に示された容器栓の分解図である。
【図４】図１に示された容器栓の断面図である。
【図５】本発明による栓フラップの形状の平面図である。
【図６】本発明による栓ストッパの形状の平面図である。
【図７】栓ストッパの別の構造の、図６と同様な平面図である。
【図８】本発明によるバルブ閉止デバイス保持覆いの形状の透視図である。
【図９】バルブ閉止デバイス保持覆いの別の構造の、図８と同様な透視図である。
【図１０】本発明による栓出口スリーブの形状の透視図である。
【図１１】本発明による栓封止キャップの形状の透視図である。
【図１２】本発明による空気ガイドの形状の透視図である。
【図１３】本発明による追加の中空パイプの断面図である。
【図１４】本発明による栓を収蔵するのに用いられる入れ物の断面図である。
【図１】
2009525923.tif 000003
【図２】
2009525923.tif 000004
【図３】
2009525923.tif 000005
【図４】
2009525923.tif 000006
【図５】
2009525923.tif 000007
【図６】
2009525923.tif 000008
【図７】
2009525923.tif 000009
【図８】
2009525923.tif 000010
【図９】
2009525923.tif 000011
【図１０】
2009525923.tif 000012
【図１１】
2009525923.tif 000013
【図１２】
2009525923.tif 000014
【図１３】
2009525923.tif 000015
【図１４】
2009525923.tif 000016
【国際調査報告】
2009525923.tif 000017
2009525923.tif 000018
2009525923.tif 000019